(57)【要約】【課題】簡易な構造で異なる色の表示を可能とする表示素子及び表示装置を提供する。【解決手段】発光面を有する有機ＥＬ素子１０と、有機ＥＬ素子１０の発光面側に配置されて発光面から出射された光の一部を視野側に出射する液晶素子２０とを備え、液晶素子２０は、印加電圧によりその透過率の波長分布が変化する。これにより、液晶素子２０への印加電圧を変化させることにより液晶素子２０を透過して視野側に出射される光の波長分布を変化させて、波長分布に基づく表示色を印加電圧に応じて変化させる。【選択図】図１
2010225438.tif 000002
【特許請求の範囲】
【請求項１】
表示信号に応じて発光した光を出射する発光面を有する少なくとも１つの発光素子と、
前記発光素子の前記発光面側に配置され、該発光面から出射された光の一部を透過率に応じて透過し、透過した光を外部に出射する少なくとも１つの液晶素子と、
を備え、
前記液晶素子に印加する印加電圧に応じて前記透過率の波長分布を変化させて、前記透過した光の波長分布に基づく表示色を前記印加電圧に応じて異なる色に変化させることを特徴とする表示素子。
【請求項２】
前記発光素子は、前記発光面から出射する光の発光波長が白色をなす波長分布を有することを特徴とする請求項１に記載の表示素子。
【請求項３】
前記発光素子の前記発光面と前記液晶素子との間に配置された、外光の反射を防止する第１の位相差板を有することを特徴とする請求項１または２に記載の表示素子。
【請求項４】
前記液晶素子は、液晶層と、該液晶層を挟持する２枚の透明基板と、該各透明基板の外側に配置された２枚の偏光板と、前記視野側の前記透明基板と前記偏光板との間に配置された第２の位相差板を有することを特徴とする請求項１乃至３の何れかに記載の表示素子。
【請求項５】
表示信号に応じて発光した光を出射する発光面を有する発光素子を有する画素が複数配列された表示領域を有する表示パネルと、
前記表示パネルの前記発光面側に配置され、該発光面から出射された光の一部を視野側に透過率に応じて透過し、透過した光を外部に出射する少なくとも１つの液晶素子を有する液晶パネルと、
を備え、
前記液晶パネルの前記液晶素子に印加印加電圧に応じて前記透過率の波長分布を変化させて、前記透過した光の波長分布に基づく表示色を前記印加印加電圧に応じて異なる色に変化させることを特徴とする表示装置。
【請求項６】
前記各発光素子は、前記発光面から出射する光の発光波長が白色をなす波長分布を有することを特徴とする請求項５に記載の表示装置。
【請求項７】
前記表示パネルにおける前記表示領域は複数の表示エリアに分割され、該各表示エリアに前記複数の画素における所定の数の前記画素が配列され、
前記液晶パネルの前記液晶素子は、前記複数の表示エリアの各々に対応して複数設けられ、該各液晶素子に対する前記印加電圧を個別に制御して、前記表示エリア毎の前記表示色を個別に変化させることを特徴とする請求項５または６に記載の表示装置。
【請求項８】
前記表示パネルの前記発光面と前記液晶パネルとの間に配置された、外光の反射を防止する第１の位相差板を有することを特徴とする請求項５乃至７の何れかに記載の表示装置。
【請求項９】
前記液晶パネルは、液晶層と、該液晶層を挟持する２枚の透明基板と、該各透明基板の外側に配置された２枚の偏光板と、前記視野側の前記透明基板と前記偏光板との間に配置された第２の位相差板を有することを特徴とする請求項５乃至８の何れかに記載の表示装置。
【請求項１０】
表示信号に応じて発光した光を出射する発光面を有する少なくとも１つの発光素子と、
前記発光素子の前記発光面側に配置され、該発光面から出射された光の一部を透過率に応じて視野側に透過し、透過した光を外部に出射する少なくとも１つの液晶素子と、
を備え、
前記液晶素子に印加する印加電圧に応じて該液晶素子の前記透過率及び外光に対する反射率を変化させて、透過した光と反射した光との波長分布に基づく表示色を前記印加電圧に応じて異なる色に変化させることを特徴とする表示素子。
【請求項１１】
表示信号に応じて発光した光を出射する発光面を有する発光素子を有する画素が複数配列された表示領域を有する表示パネルと、
前記表示パネルの前記発光面側に配置され、前記発光面から出射された光の一部を透過率に応じて視野側に透過し、透過した光を外部に出射する少なくとも１つの液晶素子を有する液晶パネルと、
を備え、
前記液晶パネルに印加する印加電圧に応じて該液晶素子の前記透過率及び外光に対する反射率を変化させて、透過した光と反射した光との波長分布に基づく表示色を前記印加電圧に応じて異なる色に変化させることを特徴とする表示装置。
【発明の詳細な説明】
【技術分野】
【０００１】
本発明は、有機ＥＬ素子を用いた表示素子及び表示装置に関する。
【背景技術】
【０００２】
有機ＥＬ素子は、電流駆動によって発光を生じさせる。この有機ＥＬ素子の駆動方法としては、画素を構成する有機ＥＬ素子の選択のためにスイッチング素子を使用するアクティブ駆動方式や、スイッチング素子を使用しないパッシブ駆動方式がある。有機ＥＬディスプレイでは、単色発光によって表示を行うもの、表示エリア毎に異なる色で表示するエリアカラー表示や、フルカラー表示を行うものが知られている。フルカラー表示は画素レベルでＲＧＢの異なる色を表示するために、有機ＥＬ素子の有機層がＲＧＢのいずれかの色で発光するもの、あるいは、白表示を行う有機ＥＬ素子の前にＲＧＢのカラーフィルタ層を形成することによってカラー表示を行うものなどが知られている。
【０００３】
また、有機ＥＬ素子の有機層がＲＧＢのいずれかの色で発光するものを用いた表示装置において、有機ＥＬ素子の発光面側に液晶パネルを積層し、液晶パネルにより光の透過率を変更することでホワイトバランスを調整することが提案されている（例えば、特許文献１参照）。
【先行技術文献】
【特許文献】
【０００４】
【特許文献１】特開２００６−１６２７０５号公報
【発明の概要】
【発明が解決しようとする課題】
【０００５】
ところで、従来のカラー表示は、画素ごとに異なる発色が必要であり、製造が複雑であった。また、エリアカラー表示の場合には表示エリア毎の色は予め設定されており、表示アリア毎の色を変えることが不可能であった。
【０００６】
本発明の課題は、簡易な構造で異なる色の表示を可能とする表示素子及び表示装置を提供することである。
【課題を解決するための手段】
【０００７】
以上の課題を解決するため、本発明の第１の態様によれば、表示信号に応じて発光した光を出射する発光面を有する少なくとも１つの発光素子と、前記発光素子の前記発光面側に配置され、該発光面から出射された光の一部を透過率に応じて透過し、透過した光を外部に出射する少なくとも１つの液晶素子と、を備え、前記液晶素子に印加する印加電圧に応じて前記透過率の波長分布を変化させて、前記透過した光の波長分布に基づく表示色を前記印加電圧に応じて異なる色に変化させることを特徴とする表示素子が提供される。
【０００８】
好ましくは、前記発光素子は、前記発光面から出射する光の発光波長が白色をなす波長分布を有する。
好ましくは、前記発光素子の前記発光面と前記液晶素子との間に配置された、外光の反射を防止する第１の位相差板を有する。
好ましくは、前記液晶素子は、液晶層と、該液晶層を挟持する２枚の透明基板と、該各透明基板の外側に配置された２枚の偏光板と、前記視野側の前記透明基板と前記偏光板との間に配置された第２の位相差板を有する。
【０００９】
本発明の第２の態様によれば、表示信号に応じて発光した光を出射する発光面を有する発光素子を有する画素が複数配列された表示領域を有する表示パネルと、前記表示パネルの前記発光面側に配置され、該発光面から出射された光の一部を視野側に透過率に応じて透過し、透過した光を外部に出射する少なくとも１つの液晶素子を有する液晶パネルと、を備え、前記液晶パネルの前記液晶素子に印加印加電圧に応じて前記透過率の波長分布を変化させて、前記透過した光の波長分布に基づく表示色を前記印加印加電圧に応じて異なる色に変化させることを特徴とする表示装置が提供される。
【００１０】
好ましくは、前記各発光素子は、前記発光面から出射する光の発光波長が白色をなす波長分布を有する。
好ましくは、前記表示パネルにおける前記表示領域は複数の表示エリアに分割され、該各表示エリアに前記複数の画素における所定の数の前記画素が配列され、前記液晶パネルの前記液晶素子は、前記複数の表示エリアの各々に対応して複数設けられ、該各液晶素子に対する前記印加電圧を個別に制御して、前記表示エリア毎の前記表示色を個別に変化させる。
好ましくは、前記表示パネルの前記発光面と前記液晶パネルとの間に配置された、外光の反射を防止する第１の位相差板を有する。
好ましくは、前記液晶パネルは、液晶層と、該液晶層を挟持する２枚の透明基板と、該各透明基板の外側に配置された２枚の偏光板と、前記視野側の前記透明基板と前記偏光板との間に配置された第２の位相差板を有する。
【００１１】
本発明の第３の態様によれば、表示信号に応じて発光した光を出射する発光面を有する少なくとも１つの発光素子と、前記発光素子の前記発光面側に配置され、該発光面から出射された光の一部を透過率に応じて視野側に透過し、透過した光を外部に出射する少なくとも１つの液晶素子と、を備え、前記液晶素子に印加する印加電圧に応じて該液晶素子の前記透過率及び外光に対する反射率を変化させて、透過した光と反射した光との波長分布に基づく表示色を前記印加電圧に応じて異なる色に変化させることを特徴とする表示素子が提供される。
【００１２】
本発明の第４の態様によれば、表示信号に応じて発光した光を出射する発光面を有する発光素子を有する画素が複数配列された表示領域を有する表示パネルと、前記表示パネルの前記発光面側に配置され、前記発光面から出射された光の一部を透過率に応じて視野側に透過し、透過した光を外部に出射する少なくとも１つの液晶素子を有する液晶パネルと、を備え、前記液晶パネルに印加する印加電圧に応じて該液晶素子の前記透過率及び外光に対する反射率を変化させて、透過した光と反射した光との波長分布に基づく表示色を前記印加電圧に応じて異なる色に変化させることを特徴とする表示装置が提供される。
【発明の効果】
【００１３】
本発明によれば、簡易な構造で異なる色の表示を可能とする表示素子及び表示装置を提供することができる。
【図面の簡単な説明】
【００１４】
【図１】本発明の第１の実施形態に係る表示装置１Ａを示す模式図である。
【図２】ホモジニアス液晶の液晶層２０Ａへの印加電圧を変えたときの波長λ（ｎｍ）と透過率Ｉとの関係を示すグラフである。
【図３】理想的な白色光の発光波長分布を示すグラフである。
【図４】液晶層２０Ａへの印加電圧を変えたときに、理想的な白色光のうち液晶層２０Ａを透過する光の発光波長分布を示すグラフである。
【図５】白色発光のＥＬ素子の発光波長分布を示すグラフである。
【図６】液晶層２０Ａへの印加電圧を変えたときに、ＥＬ素子の発光のうち液晶層２０Ａを透過する光の発光波長分布を示すグラフである。
【図７】本発明を適用した通信機器の表示装置１Ａの例を示す図である。
【図８】本発明を適用した通信機器の表示装置１Ａの例を示す図である。
【図９】本発明を適用した通信機器の表示装置１Ａの例を示す図である。
【図１０】本発明の第１の変形例に係る表示装置１Bを示す模式図である。
【図１１】本発明の第２の変形例に係る表示装置１Ｃを示す模式図である。
【図１２】本発明の第３の変形例に係る表示装置１Ｄを示す模式図である。
【図１３】本発明の第２の実施形態に係る表示装置１Ｅを示す模式図である。
【図１４】第２実施形態の変形例に係る表示装置１Ｆを示す模式図である。
【図１５】第２実施形態の変形例に係る表示装置１Ｇを示す模式図である。
【発明を実施するための形態】
【００１５】
〔第１実施形態〕
図１は本発明の第１の実施形態に係る表示装置１Ａを示す模式図である。図１に示すように、表示装置１Ａは、光が出射される発光面を有する有機ＥＬ素子１０Ａが複数、例えばマトリクス状に配列された有機ＥＬ表示パネル１０と、有機ＥＬ表示パネル１０の発光面側に設けられた液晶素子２０を備える液晶パネルとを備え、有機ＥＬ表示パネル１０から液晶素子２０を透過して外部に出射する光によって表示を行うものである。なお、図１においては、便宜上、１つの有機ＥＬ素子１０Ａに対して１つの液晶素子２０が設けられた構成としたが、後述するように、複数の有機ＥＬ素子１０Ａに対して１つの液晶素子２０が設けられる構成であってもよい。
【００１６】
有機ＥＬ素子１０Ａは、図示しないが、有機ＥＬ層を挟む１対の電極を有し、電極間に電圧を印加することにより有機ＥＬ層が発光して、光が放出される。なお有機ＥＬ層の発光波長分布は白色を呈しているものとする。有機ＥＬ素子１０Ａの１対の電極の少なくとも液晶素子２０側の一方の電極は透明電極であり、有機ＥＬ層から放出される光を透過して外部に出射し、有機ＥＬ素子１０Ａの発光面をなす。
有機ＥＬ表示パネル１０は有機ＥＬ素子１０Ａを挟持する２枚の基板１１、１２を有する。ここで、基板１１、１２は、例えばガラスや透明なフィルム等である。
【００１７】
液晶素子２０は、液晶層２０Ａと、液晶層２０Ａを挟持する２枚の透明基板２１、２２と、透明基板２１、２２のさらに外側に配置された２枚の偏光板２３、２４とからなる。以下では液晶層２０Ａがホモジニアス液晶の場合について説明する。
【００１８】
ホモジニアス液晶では、液晶層２０Ａは、１対の配向膜と、その間に挟持された液晶と、これらを挟持し液晶に電圧を印加する１対の透明電極からなり、各配向膜及び各透明電極は透明基板２１、２２の各々に設けられている。
各配向膜は一方向にラビング処理されており、有機ＥＬ表示パネル１０側の配向膜と、有機ＥＬ表示パネル１０の反対側の配向膜とは、ラビング方向がアンチパラレル方向に配置されている。これにより、透明電極間に電圧が印加されていないとき、液晶分子は配向膜の近傍ではラビング方向に沿って配向され、液晶層内での液晶分子の配向は透明基板２１、２２に平行な方向に揃っている。
【００１９】
透明基板２１、２２は、例えばガラスや透明なフィルム等である。
偏光板２３、２４は、それぞれ近接する配向膜のラビング方向に対して４５度の角をなす偏光方向の光のみを透過するように配置されている。
【００２０】
液晶層２０Ａに印加する透明電極間の印加電圧が液晶層２０Ａのしきい値電圧よりも低いときには、有機ＥＬ素子１０Ａの発光面から放出される光は、有機ＥＬ表示パネル１０側の偏光板２３で直線偏光となり透明基板２１を透過する。その後、液晶層２０Ａ内に入射した直線偏光は、液晶分子の配向に応じた偏光状態となり、透明基板２２、偏光板２４の順に透過する。
【００２１】
一方、液晶層２０Ａに印加する印加電圧が液晶層２０Ａのしきい値電圧よりも高くなると、液晶分子が徐々に透明基板２１、２２に垂直な方向に配向する。すると、透明基板２１から液晶層２０Ａ内に入射した直線偏光は偏光状態を変えて液晶層２０Ａから出射され、偏光板２４を介して、特定波長が特定強度で外部に出射される。したがって、液晶層２０Ａに印加する印加電圧を変化させることにより、液晶素子２０を透過して外部に出射される光の波長分布を変えることができ、これにより、液晶素子２０から外部に出射される出射光の波長分布に基づく表示装置１Ａの表示色を印加電圧によって変化させることができる。
【００２２】
本発明における出射光の色変化について、更に詳しく説明する。一般に、液晶層２０Ａを透過する光の波長λにおける透過率Ｉは、以下の式（１）で表される。
Ｉ=Ｉo・｛cos2α−sin2β・sin2(β＋α)・sin2(π・Δｎ・ｄ／λ)｝  …（１）
ただし、Δｎ＝d・{(ns2−n02・sin２θ)0.5−(np２−n02・sin２θ)0.5}  …（２）
ここで、αは２枚の偏光板２３、２４が透過させる直線偏光がなす角であり、βは液晶を透過する直線偏光の軸と進相軸とのなす角であり、ｄは液晶の厚さである。また、Δｎは液晶の進相軸方向と遅相軸方向との位相差である。ns、np、n0は液晶の異常光、常光、及び空気の屈折率であり、θは液晶分子の傾斜角度である。
【００２３】
ホモジニアス液晶の場合、αはπ／２（９０°）、βはπ／４（４５°）で一定であり、Δｎが印加電圧に応じて変化する。よって、透過率Ｉは以下の式（３）で表され、透過率Ｉの波長λに対する変化特性が、印加電圧に応じて変化することになる。
Ｉ=Ｉo・sin2(π・Δｎ・ｄ／λ)  …（３）
【００２４】
図２は、ホモジニアス液晶の液晶層２０Ａへの印加電圧を変えたときの、液晶パネル３０の波長λ（ｎｍ）と透過率Ｉとの関係を示すグラフである。このように、印加電圧に応じて液晶パネル３０を透過する光の波長分布を変えることができ、これによって、後述するように、液晶素子２０を透過した光による表示色を印加電圧に応じて変えることができる。
【００２５】
図３は理想的な白色発光の発光波長分布を示すグラフであり、図４は液晶層２０Ａへの印加電圧を変えたときに、理想的な白色発光の発光波長分布のうち、液晶パネル３０を透過する光の波長分布を示すグラフである。この場合、０Ｖでは白色、１．８Ｖでは赤色、２．３Ｖでは緑色、３．７Ｖでは青色の表示色とすることができる。
【００２６】
図５は白色発光のＥＬ素子の実際の発光波長分布の一例を示すグラフであり、図６は液晶層２０Ａへの印加電圧を変えたときに、ＥＬ素子の発光波長分布のうち、液晶パネル３０を透過する光の波長分布を示すグラフである。この場合、ＥＬ素子の発光波長分布が赤色、緑色、青色を含む白色をなす比較的広い波長範囲を有し、図２に示したように液晶層２０Ａへの印加電圧に応じて液晶素子２０の透過率の波長分布が変化することから、印加電圧が０Ｖでは白色、１．８Ｖでは赤色、２．３Ｖでは緑色、３．７Ｖでは青色の表示色とすることができる。
【００２７】
次に、ＩＰＳ（インプレインスイッチング）液晶の場合について説明する。ＩＰＳ液晶では、印加電圧がしきい値電圧よりも高くなると、印加電圧に応じて液晶分子が偏光板と平行な平面内で向きが変化する。
【００２８】
このため、ＩＰＳ液晶では、式（２）のθがほぼ０一定であり、βが液晶層２０Ａへの印加電圧に応じて変化する。また、αはπ／２（９０°）で一定である。よって、透過率Ｉは以下の式（４）で表され、が印加電圧に応じて変化することから、透過率Ｉの波長λに対する変化特性が印加電圧に応じて変化することになる。よって、この場合においても、液晶素子２０を透過した光による表示色を印加電圧に応じて変えることができる。
Ｉ=Ｉo・｛−sin2β・sin2(β＋π／２)・sin2(π・Δｎ・ｄ／λ)｝  …（４）
【００２９】
次に、本発明の実施形態の具体的な構成の一例について説明する。
上述のように、表示装置１Ａは、白色発光の有機ＥＬ素子１０Ａを有する有機ＥＬ表示パネル１０と有機ＥＬ表示パネル１０の発光面側に積層された、液晶素子２０を有する液晶パネルとを有する。そして、有機ＥＬ表示パネル１０は、有機ＥＬ素子１０Ａを有してなる画素が複数、例えば２次元配列された表示領域を有し、ドットマトリクス表示を行うものとする。
表示装置１Ａの具体的な構成の第１の例は、液晶パネルが単一の液晶素子２０を有し、この液晶素子２０が有機ＥＬ表示パネル１０の表示領域全体に亘って設けられる構成を有するものである。この場合、ドットマトリクスの各画素の表示色を、液晶パネルの液晶素子２０への印加電圧に応じて一様に変化させることができる。
次いで、表示装置１Ａの具体的な構成の第２の例は、有機ＥＬ表示パネル１０の表示領域が複数の表示エリアに分割されて、各表示エリアに所定の数の画素が配列されて表示エリア毎にドットマトリクス表示を行い、エリアカラー表示を行うものである。液晶パネルは、有機ＥＬ表示パネル１０の複数の表示エリアの各々に対応して複数の液晶素子２０を有し、各液晶素子２０に対する印加電圧を個別に制御することが出来るようにされた構成を有するものである。この場合、ドットマトリクスの各画素の表示色を表示エリア毎に個別に変化させることができる。つまりエリアカラー表示において、表示エリア毎の表示色を変えることが可能となる。
【００３０】
図７〜図９は、上記の表示装置１Ａの第２の例を携帯電話機等の通信機器の表示部に適用した場合の、表示状態の一例を示す図である。図７、図８においては、表示装置１Ａは、第１〜３の表示エリア２Ａ〜２Ｃを有する。第１の表示エリア２Ａには例えば時刻等が表示され、第２の表示エリア２Ｂには例えばニュース等の文字情報が表示され、第３の表示エリア２Ｃには例えば電波受信状況、電池残量等を示すアイコンや、日時、曜日等が表示されている。なお、便宜上、図に表示エリア２Ａ〜２Ｃの境界線を破線で示す。
【００３１】
この表示装置１Ａにおいては、表示エリア２Ａ〜２Ｃの各々において、白色発光の有機ＥＬ素子１０がマトリクス状に配列されている。そして、有機ＥＬ素子１０の表示エリア２Ａ〜２Ｃの各々に対応して３つの液晶素子２０が設けられている。このため、表示エリア毎の液晶素子２０の液晶層２０Ａへの印加電圧を変えることで、図８に示すように、表示エリア毎に異なる色の表示色とすることができる。また、図９に示すように、第３の表示エリア２Ｃを、更に、アイコンの表示エリア２Ｄ、日時の表示エリア２Ｅ、曜日の表示エリア２Ｆに分割し、それぞれに対応して液晶素子２０を設けて、各表示エリアを異なる色の表示色としてもよい。
【００３２】
なお、本発明はホモジニアス液晶、ＩＰＳ液晶に限らず、例えば、ＴＮ液晶、ＳＴＮ液晶、ＶＡ（垂直配向）液晶、ＧＨ（ゲストホスト）液晶、コレステリック液晶、ＰＮ（ポリマーネットワーク）液晶、ＰＤ（ポリマー分散）液晶等も用いることができる。
【００３３】
ＰＮ液晶、ＰＤ液晶、ＧＨ液晶、コレステリック液晶は、印加電圧を変えることにより透過光及び反射光が変化する液晶である。
【００３４】
＜変形例１＞
図１０は本発明の第１の変形例に係る表示装置１Bを示す模式図である。本変形例においては、液晶層２０Ａの透過光が放出される側の透明基板２２と偏光板２４との間に、位相差板２５が設けられている。位相差板を設けることで、色再現範囲の調整が容易となる。
【００３５】
＜変形例２＞
図１１は本発明の第２の変形例に係る表示装置１Cを示す模式図である。本変形例においては、有機ＥＬ素子１０と液晶層２０Ａとの間に、位相をλ／４ずらす位相差板２６が設けられている。
液晶層２０Ａを透過した外光が偏光板２３及び位相差板２６を通過した後、有機ＥＬ素子１０で反射して位相差板２６を通過することで、位相が合計でλ／２ずれるため、反射光が偏光板２３を透過しない。このため、外光の反射を防止することができる。
【００３６】
＜変形例３＞
図１２は本発明の第３の変形例に係る表示装置１Dを示す模式図である。本変形例においては、液晶層２０Ａの透過光が放出される側の透明基板２２と偏光板２４との間に位相差板２５が設けられているとともに、基板１２と液晶層２０Ａとの間に、位相をλ／４ずらす位相差板が設けられている。色再現範囲調整用の位相差板を設けることで、色再現範囲の調整が容易となるとともに、位相をλ／４ずらす位相差板を設けることで、外光の反射を防止することができる。
【００３７】
〔第２実施形態〕
図１３は本発明の第２の実施形態に係る表示装置１Ｅを示す模式図である。なお、第１の実施形態と同様の構成については同符号を付して説明を割愛する。本実施形態においては、液晶素子２０の液晶層２０ＢにＧＨ（ゲストホスト）液晶又はコレステリック液晶を用いている。ＧＨ液晶はTN液晶に染料を添加したような構成を有し、印加電圧によって透過率及び添加された染料に応じた特定波長の反射率が変化して、背面からの光の一部を透過する状態と外光の一部を反射して染料に応じた表示色を呈する状態とを有するものである。また、コレステリック液晶は、液晶分子が平行配列しているネマチック液晶に、液晶分子にねじれを付与するカイラル剤と呼ばれる添加剤を加えて旋光性を持たせたものであり、印加電圧によって透過率及び構造に基づく特定波長の反射率が変化して、背面からの光の一部を透過する状態と外光の一部を反射して設定された表示色を呈する状態とを有するものである。このような特性を有する液晶層２０Ｂを備える液晶素子２０により、有機ＥＬ素子１０の発光面から出射された光に対する透過率と外光の特定波長に対する反射率とが印加電圧によって変化する。これにより、液晶素子２０を透過した有機ＥＬ素子１０の発光面から出射された光に基づく透過光と、液晶素子２０で反射した外光の反射光と、からなる光の波長分布による表示色を変化させることができるものである。。
【００３８】
＜変形例４＞
図１４は第２実施形態の変形例に係る表示装置１Ｆを示す模式図である。本変形例においては、液晶層２０ＢにＧＨ（ゲストホスト）液晶を用いているとともに、基板１２と透明基板２１との間に、位相をλ／４ずらす位相差板２６及び偏光板２３が設けられている。本変形例によれば、印加電圧を調整することで、有機ＥＬ素子１０の発光波長における各波長の透過光量を調整して色表示の調整を行うことができる。また、偏光板２３及び位相差板２６を設けることで、外光の反射を防止することができる。
【００３９】
＜変形例５＞
図１５は第２実施形態の変形例に係る表示装置１Ｇを示す模式図である。本変形例においては、液晶層２０ＢにＧＨ（ゲストホスト）液晶を用いているとともに、透明基板２２よりも外側に、位相をλ／４ずらす位相差板２６及び偏光板２３が設けられている。本変形例によれば、印加電圧を調整することで、有機ＥＬ素子１０の発光波長における各波長の透過光量を調整して色表示の調整を行うことができる。また、偏光板２３及び位相差板２６を設けることで、外光の反射を防止することができる。
【符号の説明】
【００４０】
１Ａ、１Ｂ、１Ｃ、１Ｄ、１Ｅ、１Ｆ、１Ｇ  表示装置
１０  有機ＥＬ表示パネル
１０Ａ  有機ＥＬ素子
２０  液晶素子
２０Ａ、２０Ｂ  液晶層
２３、２４  偏光板
２５、２６  位相差板
【図１】
2010225438.tif 000003
【図２】
2010225438.tif 000004
【図３】
2010225438.tif 000005
【図４】
2010225438.tif 000006
【図５】
2010225438.tif 000007
【図６】
2010225438.tif 000008
【図７】
2010225438.tif 000009
【図８】
2010225438.tif 000010
【図９】
2010225438.tif 000011
【図１０】
2010225438.tif 000012
【図１１】
2010225438.tif 000013
【図１２】
2010225438.tif 000014
【図１３】
2010225438.tif 000015
【図１４】
2010225438.tif 000016
【図１５】
2010225438.tif 000017